(57)【要約】  【課題】簡単な構成で制振性能がよく耐久性があり振動の加速度や周波数の設計や調整が容易で建物の壁面の制振が可能な制振装置及びこれを用いた防音装置を提供する。  【解決手続】ＡＭＤ１は、壁面１００に取り付けられた基板２６、上支持板２１、これに取り付けられた板バネ２２、これから吊り下げ支持された振動マス２３、これを壁面１００の振動とは逆位相で振動させるリニアモータ部５、振動センサ４、その検出値によって壁の振動を減少させるように制御する操作制御盤３、等で構成されていて、振動系の固有振動数の調整が容易で制振効果の大きいものである。防音装置は、このようなＡＭＤを必要数だけ最適に配置して構成された装置である。  【選択図】        図１
2005181898.tif 000002
【特許請求の範囲】
【請求項１】
振動することがある壁面から発生する振動騒音を減少させる防音装置において、
前記壁面に取り付けられる壁面加振装置と前記振動騒音を減少させるように前記壁面加振装置を作動させる作動装置とを備えた制振装置を有し、
前記壁面加振装置は、前記壁面から張り出すように前記壁面に取り付けられた支持部と、板面が前記壁面に平行になるように前記支持部に取り付けられた板バネと、該板バネに取り付けられて支持された振動質量保有体と、前記作動装置で作動されて前記振動質量保有体を前記壁面の振動とは逆の位相で振動させるリニアモータ部と、を備えている、
ことを特徴とする防音装置。
【請求項２】
前記壁面は空気伝播音を受けることがあり、該空気伝播音を減少させるように前記壁面に取り付けられる吸音パネルであって前記壁面加振装置を囲うように空間部を備えた吸音パネルを有することを特徴とする請求項１に記載の防音装置。
【請求項３】
振動することがある壁面から発生する振動騒音を減少させる防音装置に使用される制振装置において、
前記壁面に取り付けられる壁面加振装置と前記振動騒音を減少させるように前記壁面加振装置を作動させる作動装置とを有し、
前記壁面加振装置は、前記壁面から張り出すように前記壁面に取り付けられた支持部と、板面が前記壁面に平行になるように前記支持部に取り付けられた板バネと、該板バネに取り付けられて支持された振動質量保有体と、前記作動装置で作動されて前記振動質量保有体を前記壁面の振動とは逆の位相で振動させるリニアモータ部と、を備えている、
ことを特徴とする制振装置。
【発明の詳細な説明】
【技術分野】
【０００１】
本発明は、振動することがある壁面から発生する振動騒音を減少させる防音装置及びこれに使用される制振装置に関する。
【背景技術】
【０００２】
例えば雨水抽水ポンプ場では、ポンプ類を運転すると、ポンプを含む機械類から発生する空気伝播音と共に、ポンプ場の建築躯対が振動して壁面から固体音として低周波音が放射され、これらが騒音としてポンプ場の内外に伝播する。これに対して従来では、吸音を主とした空気伝播音を低減させる対策がとられていたが、この対策では、壁面振動による固体音を減少させることができず、この低周波の固体音が騒音として問題になることが多かった。
【０００３】
壁面振動を抑制する装置としては、音発生源に対向するような配置になっている窓や床や天井や壁等の表面に加振素子と振動センサとを取り付け、これらの中間位置にマイクロホンを置き、振動センサとマイクロホンとで加振素子を制御し、壁の振動を相殺するように演算された信号を加振素子に与えるようにした壁体の遮音装置が提案されている。（特許文献１参照）。しかしながら、この遮音装置では、壁体に取り付けられる加振素子がどのような構造のものかが全く記載されていない。
【０００４】
又、車両用のエンジンのシリンダブロックの外壁に振動センサ及び圧電アクチュエータを取り付け、振動センサで制御して圧電アクチュエータを作動させてシリンダブロックの共振振動を抑制するようにしたエンジン振動抑制装置が提案されている。（特許文献２参照）。この装置では、小形で軽量の圧電アクチュエータをエンジンのシリンダ壁面に多数個取り付けることによって加振効果を得るようにしているが、このような加振装置は、建物の壁面のような大きな構造物の振動を低減させる装置としては適当でない。
【特許文献１】特開平８−３６３９２号公報（図１及び関連説明）
【特許文献２】特開平６−１０９０６５公報（図１及び関連説明）
【発明の開示】
【発明が解決しようとする課題】
【０００５】
建物の壁面の加振装置としては、以上のような従来技術に示されているものの他、例えば図８に示す如く、床面用のアクティプマスダンパー（以下「ＡＭＤ」という）を壁面に応用した加振装置として、壁面１００に基板２６と上下の支持板２１、２５を取り付け、下支持板の上に水平方向のガイドレール２７を介して可動マス２３を乗せ、これをコイルバネ２８で基板２６を介して壁面１００に結合すると共に、上支持板２１でリニアモータ部５を支持してこれによって可動マス２３に起振力を加えるようにした装置が考えられる。
【０００６】
しかしながら、この壁面加振装置では、ガイドレールのような可動マスの支持案内装置が必要になること、ガイドレール部で摩擦やガタツキが生じて機械的損失が発生すること、そのため高周波の振動が余分に発生したり本来の低周波振動の抑制作用に悪影響を及ぼすおそれがあること、ガイドレール部が損傷しやすく従って装置の耐久性を低下させること、振動の加速度や周波数を可動マスの重量及びコイルスプリングによって定めることになるが、その設計や調整が難しいこと、等の諸問題が考えられる。
【０００７】
そこで本発明は、上記の図８に示す加振装置及び前記従来技術の加振装置における諸問題を解決し、簡単な構成で制振性能がよく耐久性があり振動の加速度や周波数の設計や調整が容易で建物の壁面の制振が可能な制振装置及びこれによって低周波の固体音からなる騒音の発生を防止できる防音装置を提供することを課題とする。
【課題を解決するための手段】
【０００８】
本発明は上記課題を解決するために、請求項１の発明は、振動することがある壁面から発生する振動騒音を減少させる防音装置において、
前記壁面に取り付けられる壁面加振装置と前記振動騒音を減少させるように前記壁面加振装置を作動させる作動装置とを備えた制振装置を有し、
前記壁面加振装置は、前記壁面から張り出すように前記壁面に取り付けられた支持部と、板面が前記壁面に平行になるように前記支持部に取り付けられた板バネと、該板バネに取り付けられて支持された振動質量保有体と、前記作動装置で作動されて前記振動質量保有体を前記壁面の振動とは逆の位相で振動させるリニアモータ部と、を備えている、
ことを特徴とする。
【０００９】
請求項２の発明は、上記に加えて、前記壁面は空気伝播音を受けることがあり、該空気伝播音を減少させるように前記壁面に取り付けられる吸音パネルであって前記壁面加振装置を囲うように空間部を備えた吸音パネルを有することを特徴とする。
【００１０】
請求項３の発明は、振動することがある壁面から発生する振動騒音を減少させる防音装置に使用される制振装置において、
前記壁面に取り付けられる壁面加振装置と前記振動騒音を減少させるように前記壁面加振装置を作動させる作動装置とを有し、
前記壁面加振装置は、前記壁面から張り出すように前記壁面に取り付けられた支持部と、板面が前記壁面に平行になるように前記支持部に取り付けられた板バネと、該板バネに取り付けられて支持された振動質量保有体と、前記作動装置で作動されて前記振動質量保有体を前記壁面の振動とは逆の位相で振動させるリニアモータ部と、を備えている、
ことを特徴とする。
【発明の効果】
【００１１】
本発明によれば、請求項１の発明においては、防音装置を振動することがある壁面から発生する振動騒音を減少させる装置にしているので、機械類を配置した建物等でその壁面が振動することによって発生する従来放置されていた固体音からなる振動騒音を低減させ、建屋等の内外の音響環境を改善することができる。
【００１２】
この防音装置は、壁面に取り付けられる壁面加振装置と振動騒音を減少させるように壁面加振装置を作動させる作動装置とを備えた制振装置を有するので、建物等の全体の振動を抑えるのではなく、騒音を発生させている壁面の振動を直接減少させることができるため、小形の低出力の装置によって効率良く振動騒音を低減させることができる。
【００１３】
制振装置を構成する壁面加振装置は、壁面から張り出すように壁面に取り付けられた支持部と、板面が壁面に平行になるように支持部に取り付けられた板バネと、この板バネに取り付けられて支持された振動質量保有体とを備えているので、振動質量保有体に連続して起振力を加えることによって板バネと振動質量保有体とを備えた振動系を振動させ、その振動力を板バネから支持部を介して壁面に伝達することができる。
【００１４】
このように制振装置においては、その振動系の固有振動数を、振動騒音を発生させている壁面の振動の周波数にできるだけ近づけることにより、共振による大きな制振効果を得て、それによって振動騒音の減少量を大きくすることができる。そしてこの場合、振動系の弾性部分に板バネを使用しているので、その幅や厚みや長さや場合によっては材質によって異なる縦弾性係数Ｅを変えることにより、固有振動数を容易に且つ細かく変えて精度良く壁面の振動数と一致させたりそれに近づけることができる。又、そのような振動系の設計も容易になる。その結果、効果的に壁面振動を抑制することができる。
【００１５】
又、制振装置の振動質量保有体を壁面に平行に配置した板バネに取り付けて支持しているので、振動質量保有体を壁面の方向に振動させるための別の支持機構が必要でなくなる。即ち、壁面に平行な振動する方向への支持ガイド機構を設けることなく、板面が壁面に平行な板バネの例えば垂直下方の下端位置に振動質量保有体を吊り下げ支持することができる。その結果、ガイド機構を設ける場合の摩擦やがたつきをなくし、振動系の機械的損失の発生やそれによる新たな高周波騒音の発生の可能性等の問題を回避することができると共に、構造が簡単で低コストで耐久性の良い制振装置にすることができる。
【００１６】
なお、壁面に平行な板バネで振動質量保有体を支持する場合には、その振動により、板バネの支持部を介して壁面に直角方向に加わる振動力の他に、壁面に対して曲げモーメントが作用することになるが、板バネの長さが制振の対象になる壁面の寸法に較べて十分小さいので、このモーメントの制振効果への影響は問題にならない程度である。
【００１７】
以上のような振動系と共に、これを作動させるリニアモータ部を設けていて、振動質量保有体を壁面の振動とは逆の位相で振動させるようにしているので、壁面が振動質量保有体側の方向に動くときには、振動質量保有体を壁面の方向に壁面を押すように動かし、壁面が振動質量保有体側とは反対の方向に動くときには、壁面を引っ張るように振動質量保有体を壁面とは反対の方向に動かすような振動をさせて、壁面の制振効果を得ることができる。
【００１８】
そしてこの場合、連続した起振装置としてリニアモータを使用しているので、前記の従来技術の圧電（ピエゾ）素子や電歪・磁歪振動子を用いた起振装置では得られない理想的なサインカーブの振動波形を得ることができ、制振性能を良くすることができる。又、装置の耐久性を良くすることができる。
【００１９】
請求項２の発明においては、上記において、壁面が空気伝播音を受けることがあり、この空気伝播音の減少を可能にするように、防音装置が壁面に取り付けられた吸音パネルを有し、この吸音パネルが壁面加振装置を囲うように空間部を備えているので、空間部に壁面加振装置を入れて吸音パネルだけが壁面に取り付けられた良好な外観状態にして、通常空気伝播音と固体音とが併存して発生している騒音を全体として効果的に低減させることができる。
【００２０】
請求項３の発明においては、制振装置が所定の構成を備えているので、請求項１についして記載した前記の作用効果を有する制振装置を提供することができる。
【発明を実施するための最良の形態】
【００２１】
図１は本発明を適用した防音装置の一例を示し、図２及び図３はこの防音装置を構成する制振装置の構成例を示す。
防音装置は、振動することがある壁やパネル等の表面である壁面１００から発生する振動騒音を減少させる装置であり、制振装置であるＡＭＤ１を構成する壁面加振装置としての本体部分２と、同様にＡＭＤ１を構成する作動装置としての操作制御盤３及び振動センサ４を有する。そして本例では、壁面１００に対して本体部分２が壁面１００の制振効果が大きくなるような適当な配置で４台設けられていて、これらに対して操作制御盤３が１台設けられている。又、振動センサ４は、それぞれの本体部分２に取り付けられていて、本体部分２を介して振動する壁面１００の加速度を検出している。
【００２２】
本体部分２は、壁面１００から張り出すように壁面１００に取り付けられた支持部としての上支持板２１、板面２２ａが壁面１００に平行になるように上支持板２１に取り付けられた本例では２枚の板バネ２２、これらに取り付けられて支持されされた振動質量保有体としての可動マス２３、操作制御盤３で作動されて可動マス２３を壁面１００の振動とは逆の位相で振動させるリニアモータ部５、そのコイル部分を支持している下支持板２５、上下支持板２１、２５が取り付けられていて本体部分２を壁面１００に取り付けるための基板２６、等を備えている。
【００２３】
板バネ２２は、Ｘ方向に２枚設けられていて、上支持板２１から上下Ｚ方向のうち本例では下Ｚ1 方向に可動マス２３のＺ方向の中心部分の両側部分を距離Ｌだけ離れた位置で可動マス２３を挟持するように吊り下げ支持している。それぞれの板バネ２２は、Ｚ方向の長さＬ×Ｙ方向の幅Ｂ×Ｘ方向の厚みｔからなる寸法を持つ。この板バネ２２を用いた装置によれば、ＸＹ断面の曲げ剛性であるＥＢｔ3 ／１２、長さＬ、可動マス２３の質量Ｍ等により、板バネ２２及び可動マス２３を主体とした振動系の固有振動数が定まることになる。なお、板バネ２２は１枚又は３枚以上設けられていてもよい。
【００２４】
リニアモータ部５は、図４にも示す如く、可動マス２３に起振力を伝えるように可動マス２３に固設されていて両側が開口したケース状のヨーク５１、この中にＺ方向に間隔を空けて相対向するようにヨーク５１に固設されたマグネット５２、前記間隔の中でＺ方向に隙間ｃを空けて非接触な状態でＹ方向に隙間ｃから張り出すように設けられているコイル５３，その支持体５４、下支持板２５で支持体５４を支持するように設けられたコイル支持台５５、等で構成されている。
【００２５】
作動装置は振動騒音を減少さるように本体部分２を作動させるが、本例では、前記の如く振動センサ４及び操作制御盤３を設けて、壁面１００の振動を検出することによって壁面１００の振動を減少させて振動騒音を減少させるように運転制御している。そのため、操作制御盤３に設定器３１、制御部３２、ドライバー３３等を設けて、振動騒音Ｄ1 を目的とする値Ｄ2 までΔＤだけ減少させるように壁面１００の振動加速度αｓを操作制御盤３の設定器３１で設定し、振動センサ４で壁面１００の実際の振動加速度αａを検出し、制御部３２でαａがαｓになるように制御信号を発生させ、ドライバー３３を介してリニアモータ部５のコイル５３に可動マス２３を壁面１００の振動とは逆の位相で振動させるように制御された電流Ｉを供給する。
【００２６】
操作制御盤３には、手動で電流Ｉを調節できる電流調節器３４が設けられている。なお図１の装置では、４台のＡＭＤが設けられていてこれらの操作制御部分を１台の操作制御盤３にしているので、前記の設定器３１、制御部３２、ドライバー３３、電流調節器３４等は、通常それぞれのＡＭＤに対して設けられるが、これらを共通にして、４台のＡＭＤを一律に制御することも可能である。操作制御盤３には、図示を省略しているが、電源が供給され、運転スイッチや表示ランプ等の必要な通常の装備品が設けられる。
【００２７】
振動騒音をΔＤだけ減少させるための振動加速度αｓの設定値は，例えば、振動騒音を低減させる対象となる壁面１００にＡＭＤ１の本体部分２を取り付け、ＡＭＤ１を作動させる前にその壁面から離れた位置の騒音を通常の騒音計で測定し、それからＡＭＤ１を作動させてこれに供給する電流値を調節し、騒音計で騒音を測定すると共に振動センサ４の検出値αａの値を測定し、騒音の測定値が目的とするΔＤだけ下がったときのαａにされる。又、壁面の振動加速度を測定し、振動加速度とそれによって発生する音波エネルギーとの関係から、目的とするΔＤによって例えば振動加速度を１／３にするようにαｓを定めることも可能である。即ち、ＡＭＤ作動前の振動加速度がαであったときには、αｓ＝α／３にする。
【００２８】
なお、αｓを設定してこれを制御目標値にする代わりに、作動装置として騒音センサを設けて、騒音減少値ΔＤ又は減音後の騒音値Ｄ2 が目的とする値になるように、直接減音量を制御するようにしてもよい。振動騒音の原因となる運転される機械の台数等の変動がないような場合には、振動の周波数及び加速度又は振幅からなる壁面の振動状態が一定であるため、振動センサ４による振動制御をすることなく、ＡＭＤ１に供給する電流を特定の周波数で一定にした運転をすることも可能である。
【００２９】
以上のような防音装置は次のように作動する。
例えば壁面１００に４台のＡＭＤ１が装着されていて、騒音源になる機械類等が運転されて壁面１００が周波数Ｎで加速度αａ1 の振動をして、それによって周波数Ｎで最大の振動騒音Ｄ1 が発生し、これを目的とする値Ｄ2 までΔＤだけ下げるために振動加速度をαａ1 ／３にする必要があるとすれば、ＡＭＤ１の操作制御盤３の設定器３１で、振動加速度の設定値αｓをαａ1 ／３に設定する。
【００３０】
これにより、操作制御盤３の運転スイッチをオンにすると、ＡＭＤ１が作動し、振動センサ４が壁面１００の振動加速度αａを検出し、その信号を受け入れた制御部３２がαａと設定値αａ1 ／３とを比較して、その差に対応した大きさと逆位相振動を与えるタイミングとからなる信号をドライバー３３に与え、ドライバー３３がその信号に対応して制御された電流Ｉ1 をリニアモータ部５のコイル５３に供給し、この電流に対応して周波数Ｎの起振力ｆ1 がマグネット５２及びヨーク５１を介して可動マス２３に加えられる。又コイル５３には、ｆ1 の反力−ｆ1 が生じて、−ｆ1 がコイル５３からコイル支持台５５、下支持板２５及び基板２６の下端部分を介して壁面１００に加わる。起振装置にリニアモータを使用するので、起振力ｆはほぼ理想的なサインカーブとして与えられる
一方、主として板バネ２２及び可動マス２３からなる振動系は、予め壁面の振動周波数Ｎを測定しておくことにより、その固有振動数ＮｏがＮになるように作製されている。即ち、前記の如く、可動マス２３の質量Ｍに対応して、板バネ２２のＬ、Ｂ、ｔ、等が振動系の固有振動数をＮにするように定められている。
【００３１】
このようなＡＭＤ１の固有振動数Ｎｏは、振動系に板バネ２２を使用することによって容易に且つ精度良く定められる。又、調整も容易になる。即ち、Ｌは基板２６に対する上支持板２１のＺ方向の取付位置を定めることにより、またＢ及びｔは板の幅及び厚み寸法を選択することにより、これらを自由に組み合わせて極めて精度良くＮｏを定めることができる。又、上支持板２１を基板２６に対してＺ方向にスライド移動可能なように取り付けたり、Ｂ及びｔの異なった寸法のものを数種類準備しておくこと等により、ＮがＮｏと一致するか又はＮｏにできるだけ近い値になるように容易に調整することができる。又、このような寸法を変えたときのＮの値も容易に計算することができる。一方、図８に示すようなコイルバネを使用するときには、Ｎの設計、調整、計算等が難しくなる。
【００３２】
ＡＭＤ１が作動して前記の如く振動系の固有振動数Ｎo と同じ振動数Ｎの起振力ｆ1 が可動マス２３に加えられると、振動系が共振し、板バネ２２の撓み状態で変化する大きな振動力Ｆ1 が発生し、これが板バネ２２から上支持板２１及び基板２６の上部を介して壁１００に伝達される。この振動力Ｆ1 は、ｆ1 と同様に壁面１００の振動に対して逆位相になっているので、壁面１００の振動を抑制する方向に作用し、壁面１００に対して大きな制振力となり、壁面１００の振動を低減し、最初の振動の加速度αａ1 をαａ2 に小さくすることができる。
【００３３】
αａ2 が設定値であるαａ1 ／３になったとすると、振動センサ４がこれを検出し、そのときの電流Ｉ1 の供給状態が維持され、ｆ1 、Ｆ1 によって最初の振動加速度を１／３にする制振効果が維持される。そして、壁面１００の振動で発生する低周波数Ｎの振動騒音が目的とする値に低減される。壁面１００の振動状態の変動等によって振動センサ４が検出した加速度αａが設定値αｓから離れると、起振力ｆの大きさを変えて振動力Ｆを変え、αａをαｓに戻すように供給電流Ｉが制御される。なお、壁面１００にＡＭＤ１が４台設けられる場合には、操作制御盤３が１台で共用されても、前記の如く通常それぞれのＡＭＤ１は独立して制御される。但し、例えば４個の加速度センサ４の検出値の平均値を用いて、４個のリニアモータ部５を一律に制御することも可能である。
【００３４】
以上のようなＡＭＤ１及びこれを用いた防音装置によれば、振動系として壁面１００に平行な板バネ２２を用いて、その曲げ剛性を利用した振動力を壁面１００に与えるようにしているので、図８に示すようなガイドレール２７を必要とするＡＭＤにおけるガイドレール部分の摩擦やがたつきが全く発生しない。その結果、振動系の機械的損失がないと共に、それによって生ずる可能性のある高周波振動に伴う新たな高周波騒音の発生等の問題がない。又、ガイドレールが不要であるため、その分だけ構造が簡単で低コストになると共に、ガイドレールのような微小振動や摩擦を伴う部材がないため装置の耐久性も良くなる。
【実施例】
【００３５】
発明者等は、本発明を適用したＡＭＤを試作し、これを防音装置として組み立て、以下のようにして音響試験室で騒音試験をした。
１）ＡＭＤの概略仕様
可動マスの質量    ：２０kg
板バネの寸法      ：長さ100 mm×幅70mm×厚み５mm（図2,3 に示すＬ×Ｂ×ｔ）
振動系の固有振動数：６０Ｈｚ
リニアモータの最大電流：１アンペア（電圧１００Ｖ）
壁面に加えられる最大振動力：５０Ｎ
２）ＡＭＤを装着した壁面仕様
寸法及び壁面体    ：高さ２５７０mm×幅９９５mmで質量７２０kgのコンクリート壁
固定状態          ：上下の水平端面部２点及び垂直端面部２点の４点を壁枠に押しつ                      け固定
初期振動状態      ：振動数６０Ｈｚ×加速度２．３ｍ／ｓ2 （加振器で加振）
制振装置          ：上記ＡＭＤを１台取付
３）試験結果        ：図５に示すとおり
ＡＭＤを取り付けただけで作動させないときの最大騒音時の音圧レベルは、周波数Ｎ＝６０ＨｚのときにＤ1 ＝７９．８ｄＢであったが、上記の如く固有振動数Ｎo をＮと同じ６０ＨｚにしたＡＭＤを作動させると、最大騒音時の音圧レベルＤ2 が７０．３ｄＢになり、Δｄ＝９．５ｄＢという大幅な減音効果を得ることができた。このときのリニアモータの電流値Ｉは８４ｍＡで、振動加速度αｓ＝αａは１．７ｍ／ｓ2 であった。なお、図示の如く、固有振動数Ｎo とある程度近い範囲の周波数の振動騒音に対しても効果があり，その値を相当量下げられるという結果も得られた。
【００３６】
従って、本発明を適用した防音装置によれば、ＡＭＤの固有振動数を振動壁面から発生する最大騒音の周波数に近い範囲内の振動数にして、その周波数と同じ周波数で逆位相の小電流を供給することにより、効率的に大きな制振効果を得て、最大振動騒音を大幅に低減することができる。
【００３７】
なお、本発明を適用したＡＭＤ１では、図２に示す如く、振動力Ｆが発生するときには、これに伴う曲げモーメントＭ＝ＦＬが上支持板２１及び基板２６を介して壁面１００に作用し、制振効果に影響を与えることになる。しかし、モーメントのレバーＬは、図１に示すような壁面１００の大きさに較べて十分小さいので、モーメントの制振効果への影響は殆ど問題にならない。この点については、説明を省略するがＦＥＭ解析により確認された。又、上記の騒音試験の結果によっても明らかである。
【００３８】
又、容易に概略計算ができるように壁面を仮に図６に示すような支持スピンＨを持つ単純支持梁とすると、振幅従って振動加速度に対応する壁面の撓みとしての梁の撓みは、振動力Ｆのみによる撓みδ1 とモーメントＭ＝ＦＬのみによる撓みδ2 との比率として示すと、δ2 ／δ1 ≒Ｌ／２Ｈとなり、Ｌは１５０ｍｍ程度であるため、仮にＨ＝１５００ｍｍとしても、δ2 ／δ1 は１／２０程度になるので、このように簡略計算によっても、実際の壁面ではモーメントは全く問題にならないことが明らかである。従って、板バネを使用した制振装置によれば、前記の如く極めて効果的に振動を抑制し振動騒音を低減することができる。
【００３９】
なお、既述の如く起振力ｆによる振動力Ｆの他にリニアモータのコイルから壁面に−ｆの力がかかるが、ｆの値はＦの値に較べて１／２０程度以下で十分小さいので、この力も制振効果に殆ど影響しない。
【００４０】
図７は本発明を適用した防音装置の他の例を示す。
本例の防音装置は、図２、３に示すＡＭＤ１に加えて吸音パネル６を有する。吸音パネル６は、壁面１００が空気伝播音を受けることがあるときに、この空気伝播音を減少させるように壁面１００に取り付けられるものであり、ＡＭＤ１を囲うように空間部６１を備えている。即ち、グラスウール等からなる吸音材６２、これを囲う表面側の多孔板６３、仕切多孔板６４、空間部６１を覆う蓋多孔板６５、裏面の壁側の枠板６６、上下のカバー６７、等で形成されている。
【００４１】
このようにコンビネーションパネルからなる防音装置によれば、通常空気伝播音と固体音との複合騒音からなる騒音を全体として効果的に低減させることができる。又、ＡＭＤ１を装着しても壁１００の表面側が一様に多孔板で覆われるので、ＡＭＤ自体や配線が壁面から隠れるので、壁面の外観状態を良くすることができる。又、ＡＭＤには電気部分や振動体があるため必要となるカバーを吸音パネルで兼用することができる。
【産業上の利用可能性】
【００４２】
本発明は、振動を発生させる機械類の入れられた建物等において、内外に拡散する振動騒音を低減させる防音装置として好都合に利用される。
【図面の簡単な説明】
【００４３】
【図１】本発明を適用した防音装置の全体構成の一例を示す説明図である。
【図２】ＡＭＤの側面及び一部断面状態を含む説明図である。
【図３】上記ＡＭＤの正面図である。
【図４】上記ＡＭＤのリニアモータ部分を示し、（ｂ）は平面図で（ａ）及び（ｃ）はａ−ａ線及びｃ−ｃ線断面図である。
【図５】騒音試験結果を示す棒グラフである。
【図６】（ａ）乃至（ｃ）は壁面を梁と仮定したときの変形状態の説明図である。
【図７】ＡＭＤを吸音パネルで囲った状態を示し（ａ）は正面図で（ｂ）は側面図である。
【図８】コイルスプリングを用いたＡＭＤの説明図である。
【符号の説明】
【００４４】
１００              壁面
２                  本体部分（壁面加振装置）
３                  操作制御盤（作動装置）
４                  振動センサ（作動装置）
２１                上支持板（支持部）
２２ａ              板面
２２                板バネ
２３                可動マス（振動質量保有体）
５                  リニアモータ部
６                  吸音パネル
６１                空間部
【図１】
2005181898.tif 000003
【図２】
2005181898.tif 000004
【図３】
2005181898.tif 000005
【図４】
2005181898.tif 000006
【図５】
2005181898.tif 000007
【図６】
2005181898.tif 000008
【図７】
2005181898.tif 000009
【図８】
2005181898.tif 000010